(57)【要約】【課題】洗浄・暖房タイプ用と普通タイプ用とに兼用して使用することができる便座蓋用カバーを実現する。【解決手段】便座蓋の表面を覆うカバー主体１の前端部に、便座蓋の前端部を挿入する袋状のポケット２を形成する。カバー主体１の後半部裏面には、便座蓋の表面に密着する密着性部材３を配置し、カバー主体の後端部には、後方位置において左右側縁部分を引き寄せる引っ張り手段、具体的にはゴム紐５を着脱自在に設ける。洗浄・暖房タイプ用の便座蓋に使用する場合は、便座蓋の前端をポケット２に挿入し、カバー主体の後半部を便座蓋表面に載置して密着させる。普通タイプの便座蓋に使用する場合は、カバー主体の後端部をゴム紐によって引っ張り、カバー主体を便座蓋の形状に沿わせて装着する。【選択図】  図１
0003185629.tif 000002
【実用新案登録請求の範囲】
【請求項１】
便座蓋の表面を覆う平面状のカバー主体の前端部に、カバー主体を折り返して便座蓋の前端部を挿入する袋状のポケットを形成し、カバー主体の後半部裏面に便座蓋の表面に密着する密着性部材を配置するとともに、カバー主体の後端部には、前記密着性部材よりも後方位置において左右側縁部分を引き寄せる引っ張り手段を着脱自在に設けたことを特徴とする便座蓋用カバー。
【請求項２】
カバー主体の前端部を凸弧状の湾曲形状に裁断して折り返すとともに、該凸弧状に裁断した前端部を縮めるべくゴムベルトを縫着することによってポケットを形成したことを特徴とする請求項１記載の便座蓋用カバー。
【請求項３】
カバー主体の後端部左右側縁部分を引き寄せる引っ張り手段は、長さ調節を可能とするアジャスターを備えたゴム紐とし、該ゴム紐の両端にカバー主体の側縁部分に掛脱するためのフックを備えたことを特徴とする請求項１又は２記載の便座蓋用カバー。
【考案の詳細な説明】
【技術分野】
【０００１】
本考案は、洗浄・暖房タイプ用と普通タイプ用とに兼用して使用することができる便座蓋用カバーの構造に係る考案である。
【背景技術】
【０００２】
洋式便器の便座には、大きく分けて洗浄・暖房タイプと普通タイプが存在する。当然、便座蓋も形状が大きく異なるため、従来は、洗浄・暖房タイプ用の便座蓋用カバーと普通タイプ用の便座蓋用カバーとは、それぞれ区別して販売されていた。
特許文献１には、各種形状の便座蓋に適合し得るように、弾性体としたカバー本体の周縁部を折り返し、周縁部の両端を便蓋裏面側で連結してカバー本体を便蓋に係止固定する便蓋用カバーの構造が開示されている。
特許文献２には、便座蓋に対して簡単に取付けることができる構造として、平面状のカバー主体の前端部に便座蓋の前端部を挿入するポケット部を形成するとともに、カバー主体の後半部裏面に、便座蓋の表面に密着する密着性部材を配置する便座蓋カバーの構造が開示されている。
【特許文献１】実用新案登録第３００６５０２号公報
【特許文献２】実用新案登録第３１４４５６４号公報
【考案の開示】
【考案が解決しようとする課題】
【０００３】
特許文献１に記載された便蓋カバーは、周縁部を弾性体としたカバー本体を便蓋に被せ、便蓋の裏面においてカバー本体の周縁部の両端を連結するとともに、係止バンドを便蓋の基端部に掛止させる必要があり、装着に手数を要する欠点があった。
特許文献２に記載された便座蓋カバーは、主として便座蓋の上に配置するという簡単な操作で装着することができ、密着性部材によって安定するが、平面的なカバー主体が便座蓋の上面を覆うことになるため、カバー主体と便座蓋の形状が一致している必要がある。  特に、洗浄・暖房タイプ用の便座蓋は基端部の幅が広く、普通タイプ用の便座蓋は基端部の幅が狭く絞られているため、一つの便座蓋カバーを両方のタイプの便座蓋に兼用することができないという欠点があった。
【０００４】
上記、従来技術の欠点に鑑み、本考案は、洗浄・暖房タイプ用と普通タイプ用の便座蓋に兼用して利用することができるとともに、装着が容易な便座蓋用カバーを提供することを目的とする考案である。
【課題を解決するための手段】
【０００５】
請求項１記載の便座蓋用カバーは、便座蓋ＡやＢの表面を覆う平面状のカバー主体１の前端部に、カバー主体を折り返して便座蓋ＡやＢの前端部を挿入する袋状のポケット２を形成し、カバー主体１の後半部裏面に便座蓋の表面に密着する密着性部材３を配置する。また、カバー主体１の後端部には、前記密着性部材３よりも後方位置において左右側縁部分を引き寄せる引っ張り手段を着脱自在に設けたものである。
【０００６】
請求項２記載の便座蓋用カバーは、カバー主体１の前端部を凸弧状の湾曲形状に裁断して折り返すとともに、該凸弧状に裁断した前端部を縮めるべくゴムベルト４を縫着することによってポケット２を形成することである。
請求項３記載の便座蓋用カバーは、カバー主体１の後端部左右側縁部分を引き寄せる引っ張り手段として、長さ調節を可能とするアジャスター６を備えたゴム紐５とし、該ゴム紐５の両端にカバー主体の側縁部分に掛脱するためのフック７、７を備えることである。
【考案の効果】
【０００７】
請求項１記載の考案によれば、便座蓋用カバーのカバー主体１の前端部は、便座蓋の前端部を袋状のポケット２に挿入することによって簡単に係止させることができる。この状態で、便座蓋が基端部で絞り込まれていない形状であって、カバー主体１の平面形状に近いものであるときは、カバー主体１の後半部を便座蓋の上に載置することによって、カバー主体１の後半部が便座蓋の表面に密着し、しっかりと装着することができる。このとき、密着性部材３よりも後方位置に配置した、左右側縁部分を引き寄せる引っ張り手段は取り外しておく。
【０００８】
便座蓋の形状が、基端部で絞り込まれた形状である場合は、密着性部材３よりも後方位置に配置した、引っ張り手段を装着しておく。そして、カバー主体１を便座蓋の表面に載置した後、カバー主体１の後端部に位置する引っ張り手段を、便座蓋の裏面を通過させ、その両端をカバー主体１の後方位置の左右側縁部分に掛止する。これにより、便座蓋の周縁から外方に突出するカバー主体１後端部の、左右両隅部分が引っ張られて便座蓋の裏側に折り返され、カバー主体１が便座蓋にぴったりと装着される。このとき、カバー主体１は、密着性部材３によって便座蓋の表面に密着するとともに、カバー主体１の基端部が引っ張り手段によって折り返され、便座蓋の基端部を抱持する。したがって、カバー主体１が便座蓋に、よりしっかりと装着される効果がある。
【０００９】
洗浄・暖房タイプ用の便座蓋の形状は、一般的に基端部の幅が広く、平面形状として略半楕円形である。これに対して普通タイプ用の便座蓋は、基端部の幅が狭く絞られている。したがって、本考案によれば引っ張り手段を用いないで、洗浄・暖房タイプ用の便座蓋用カバーとして利用し、引っ張り手段を用いてカバー主体１の基端部を折り返すことによって普通タイプの便座蓋用カバーとして利用することができるものである。
【００１０】
請求項２記載の考案によれば、カバー主体１の前端部が凸弧状に湾曲した状態であって、立体的なポケット２が形成され、ゴムベルトによってしっかりと締付けた状態に装着される。このことは、カバー主体と便座蓋の先端部の形状の違いを、ゴムベルトの締付けによって吸収し、先端部形状の異なる便座蓋に対して便座蓋用カバーを簡単に、しっかりと装着することができる。
請求項３記載の考案によれば、引っ張り手段を、長さ調節が可能なアジャスターを備えたゴム紐とすることによって、普通タイプの便座蓋であって、サイズの異なるものに対しても適応してしっかりと装着することができる。
【図面の簡単な説明】
【００１１】
【図１】図１は、本考案に係る便座蓋用カバーの底面図、
【図２】図２は、図１のII−II線断面図、
【図３】図３は、本考案に係る便座蓋用カバーを、洗浄・暖房タイプ用の便座蓋に装着する状態を示す概略図、
【図４】図４は、本考案に係る便座蓋カバーを、普通タイプの便座蓋に装着する状態を示す概略図である。
【考案を実施するための最良の形態】
【００１２】
以下、本考案に係る便座蓋用カバーの実施形態を、添付の図面に基づいて説明する。
図１は本考案に係る便座蓋用カバーの底面図、図２は図１のII−II線断面図である。
【００１３】
本考案に係る便座蓋用カバーは、平面状のカバー主体１の前端部に、カバー主体を折り返して便座蓋の前端部を挿入する袋状のポケット２を形成する。すなわち、カバー本体１は、基本形状が縦長であって、略方形の厚手の生地を用いて前端部を凸弧状に裁断し、凸弧状に裁断した前端部に、寸法を縮めるように、ゴムベルト４を縫着する。
【００１４】
ゴムベルト４でカバー本体１の前端縁の幅を縮めることによって、カバー本体１の前端部には、図１、図２に示すように自然に折り返されて便座蓋の前端形状に沿うような丸く立体的なポケット２が形成される。
図示実施形態においては、カバー主体１の幅Ｗが略半分の幅W’に縮められる程度のゴムベルト４を縫着している。カバー主体１前端部の凸弧形状とゴムベルト４の伸縮程度によって、ポケット２が形成されるカバー主体１前端部の形状を決定することができる。
【００１５】
カバー主体１の後半部裏面すなわち底面には、カバー主体１を便座蓋の表面に密着させるための密着性部材３を配置している。密着性部材３は、カバー主体１の後半部、すなわち基端部から一定寸法内側、具体的には基端から５〜１０cm程度内方において横幅方向に配置する。密着性部材３として、例えば公知のアクリル樹脂製の吸着素材や、ウレタン樹脂、合成ゴムなどを利用することができる。密着性部材３は、一例として、密着部分の幅が実寸で６cm程度のベルト状とするのが好ましい。
【００１６】
密着性部材３よりも後方位置には、左右側縁部分を引き寄せる引っ張り手段を着脱自在に設けるが、引っ張り手段として図１に示すようなゴム紐５を使用することができる。ゴム紐５は、両端にフック７、７を装着するとともに、中間位置にゴム紐の長さを調節するアジャスター６を設けている。これにより、ゴム紐５の長さは適宜必要な長さに調節することができる。
【００１７】
カバー主体１の周縁には、縁テープ８を縫着するが、カバー主体１には基端（後端）と前記密着性部材３の間、好ましくは密着性部材３の基端位置の左右両側に、縁テープ８と一緒にループ状の掛止テープ９、９を縫着している。この掛止テープ９、９にゴム紐５の両端に取付けたフック７、７を掛止させることによってカバー主体１の基端部において左右側縁部分を引き寄せることができる。
【００１８】
普通タイプの便座蓋Ａに本考案に係る便座蓋用カバーを装着するには、図２（ａ）に示すように、片側の掛止テープ９にゴム紐５のフック７を掛け、ゴム紐５の他方のフック７は外しておく。この状態で矢印で示すように、カバー主体１を便座蓋Ａに被せた後、図２（ｃ）に示すように、便座蓋Ａの裏側を通してもう片側のフック７を掛止テープ９に引掛ける。このとき、ゴム紐５によって引き寄せられるカバー主体１の基端部が、便座蓋の形状に沿うようにアジャスター６でゴム紐５の長さを調節する。この操作によって、主体カバー１の基端部が便座蓋Ａに沿って折り返されてしっかりと装着することができる。
【００１９】
洗浄・暖房タイプの便座蓋Ｂに装着する場合は、係止テープ９とフック７、７の掛止を解除しゴムベルト４を取り外しておく。この状態で、図４（ａ）に矢印で示すように、カバー主体１の前端部に形成したポケット２に便座蓋Ｂの前端部を挿入する。カバー主体１のポケット２部分に、便座蓋Ｂの前端部をしっかりと挿入した後カバー主体１の後半部を便座蓋Ｂの上に載置する。このとき、カバー主体１の後半部裏面に設けた密着性部材３によって、カバー主体１の後半部が便座蓋に密着し、カバー主体１を便座蓋にしっかりと装着することができる。
【００２０】
以上述べたように、本考案に係る便座蓋用カバーは、カバー主体１の左右側縁部分を引き寄せる引っ張り手段を、使用しない場合と使用する場合の使い分けによって一つの便座蓋用カバーを洗浄・暖房タイプ用の便座蓋と普通タイプの便座蓋に兼用することができる。
このように、一つの便座蓋用カバーを兼用可能とすることによって、需要者にとっては商品の購入間違いを無くすことができ、販売者にとってはストックを少なくし効率的に販売することができるという実益を有するものである。
【符号の説明】
【００２１】
１…カバー主体、  ２…ポケット、  ３…密着性部材、  ４…ゴムベルト、  ５…ゴム紐、  ６…アジャスター、  ７…フック、  ８…縁テープ、  ９…掛止テープ、  Ａ、Ｂ…便座蓋。
【図１】
0003185629.tif 000003
【図２】
0003185629.tif 000004
【図３】
0003185629.tif 000005
【図４】
0003185629.tif 000006